(57)【特許請求の範囲】
【請求項１】
貸し出したオムツを使用後に回収し、洗濯した後に、再度貸し出す貸出用オムツの洗濯管理システムであって、
オムツ洗濯処理手段と、
少なくともオムツの使用者を特定する文字、絵、シンボルなどの人が判読可能な固有情報と固有の識別情報を含んだ識別コードを付したオムツと、
上記識別コードを読取るコードリーダと、
警報を報知するアラーム手段と、
貸し出し禁止マーキングを記すマーキング手段と、
上記オムツを移送させるベルトコンベアと、
上記コードリーダ及び上記マーキング手段が接続された通信端末装置と、
上記オムツが上記オムツ洗濯処理手段で洗濯された後に、上記ベルトコンベア上を移送させる途中で上記コードリーダと上記マーキング手段を通過させて、該オムツに付された識別情報を上記コードリーダで読取って、そのオムツの洗濯回数を計数し、その計数値が、上記固有の識別情報毎に予め設定した基準値に到達したと判断したときに、上記アラーム手段を作動して警報を報知するとともに、上記マーキング手段を作動して、そのオムツに貸し出し禁止マーキングを記す制御手段とを備えたことを特徴とする、貸出用オムツの洗濯管理システム。
【請求項２】
請求項１において、
上記オムツ洗濯処理手段は、予洗工程、本洗工程、すすぎ工程、脱水工程を順次実行して上記オムツを洗濯するものであり、
予洗工程及び本洗工程並びにすすぎ工程では、最初のすすぎ工程において生成された汚水は、そのまま下水等に排水処理され、かつ２回目以降のすすぎ工程で生成されたすすぎ水と、脱水工程Ｄにおいて生成された除去水は、浄化・除菌処理可能な処理槽を備えた貯水・処理槽に一旦貯水されて浄化、除菌され、その後は上記予洗工程及び本洗工程並びに最初のすすぎ工程を実行するために再利用されるようにしていることを特徴とする、貸出用オムツの洗濯管理システム。
【請求項３】
請求項１または２において、
上記基準値は、１００〜２００回の洗濯回数に設定されていることを特徴とする、貸出用オムツの洗濯管理システム。
【発明の詳細な説明】
【技術分野】
【０００１】
本発明は、貸出用オムツの洗濯管理システムに関する。
【背景技術】
【０００２】
近時、高齢化社会の到来により老人介護施設などで貸出用オムツを使用している。
【０００３】
このような貸出用オムツはサービス提供者によって使用者に貸し出され、定期的に回収、洗濯されて再貸し出しされるようになっている（例えば下記特許文献１参照）。
【特許文献１】特開２００２−３６０６２１号公報
【発明の開示】
【発明が解決しようとする課題】
【０００４】
しかしながら、この種の貸出用オムツは、洗濯された後は、不特定者に貸し出されるため、使用者としては、必ずしも気持ちのよいものではなかった。
【０００５】
また、貸出用オムツは消耗品であるため、貸し出しを繰り返していると傷みが増し、使用に限度があるが、オムツの廃棄は、サービス提供者側の恣意に委ねられ、管理面、衛生面でも問題があった。
【０００６】
そのため、貸出用オムツを同じ使用者に専属的に循環して使用でき、かつ、使用限度を判別できる技術の開発が望まれているが、上記特許文献１に示すような技術が存在するに過ぎなかった。
【０００７】
そこで、本発明では、貸し出すオムツが同じ使用者に専属的に循環して使用できるようにするとともに、消耗品であるオムツの使用限度を容易にかつ客観的に所定の基準で判別でき、衛生的で貸し出し効率を向上させることのできる貸出用オムツの洗濯管理システムを提供することを目的にしている。
【課題を解決するための手段】
【０００８】
上記目的を達成するため、本発明の請求項１に記載の貸出用オムツの洗濯管理システムでは、貸し出したオムツを使用後に回収し、洗濯した後に、再度貸し出す貸出用オムツの洗濯管理システムであって、オムツ洗濯処理手段と、少なくともオムツの使用者を特定する文字、絵、シンボルなどの人が判読可能な固有情報と固有の識別情報を含んだ識別コードを付したオムツと、上記識別コードを読取るコードリーダと、警報を報知するアラーム手段と、貸し出し禁止マーキングを記すマーキング手段と、上記オムツを移送させるベルトコンベアと、上記コードリーダ及び上記マーキング手段が接続された通信端末装置と、上記オムツが上記オムツ洗濯処理手段で洗濯された後に、上記ベルトコンベア上を移送させる途中で上記コードリーダと上記マーキング手段を通過させて、該オムツに付された識別情報を上記コードリーダで読取って、そのオムツの洗濯回数を計数し、その計数値が、上記固有の識別情報毎に予め設定した基準値に到達したと判断したときに、上記アラーム手段を作動して警報を報知するとともに、上記マーキング手段を作動して、そのオムツに貸し出し禁止マーキングを記す制御手段とを備えたことを特徴とする。
【００１０】
請求項２に記載の貸出用オムツの洗濯管理システムでは、上記オムツ洗濯処理手段は、予洗工程、本洗工程、すすぎ工程、脱水工程を順次実行して上記オムツを洗濯するものであり、予洗工程及び本洗工程並びにすすぎ工程では、最初のすすぎ工程において生成された汚水は、そのまま下水等に排水処理され、かつ２回目以降のすすぎ工程で生成されたすすぎ水と、脱水工程において生成された除去水は、浄化・除菌処理可能な処理槽を備えた貯水・処理槽に一旦貯水されて浄化、除菌され、その後は上記予洗工程及び本洗工程並びに最初のすすぎ工程を実行するために再利用されるようにしていることを特徴とする。
【００１１】
請求項３に記載の貸出用オムツの洗濯管理システムでは、上記基準値は、１００〜２００回の洗濯回数に設定されていることを特徴とする。
【発明の効果】
【００１３】
本発明の請求項１によれば、オムツには固有の識別情報を含んだ識別コードを付しているので、回収して来たオムツを洗濯した後に、各オムツの識別コードを読み取ることにより、オムツ使用者の使用状況が把握できる。
【００１４】
また、洗濯された各オムツから識別コードを読み取る毎に洗濯回数を計数し、基準値に到達したときには再貸し出しを禁止するので、使用回数が所定値を越えたオムツが再貸し出しされることがなく、使用限度が客観的基準で判断され、オムツの貸し出しを効率的に管理することができる。
【００１５】
また、基準値に到達したときには警報を報知するので、貸し出し禁止であることが容易に確認できる。さらに、各オムツの識別コードには、使用者が判読可能な固有情報が記されているので、オムツ使用者には自分の専用品として自覚させることで、顧客に対してカスタマイズされたサービスを提供していることを認識させて満足度を充たすことが出来る。また、警報を報知したときには貸し出し禁止マーキングを記すので、人が容易に確認でき、使用期限が過ぎたオムツを誤って貸し出すことが未然に防止できる。
またさらに請求項１によれば、制御手段が、オムツが洗濯された後、ベルトコンベア上を移送させる途中で通信端末装置を通過させて、上記コードリーダで上記識別情報を読み取り、マーキング手段を作動させることで、そのオムツに貸し出し禁止マーキングを記すようにしているので、人が容易に確認でき、使用期限が過ぎたオムツを誤って貸し出すことが未然に防止できる。
請求項２によれば、予洗工程及び本洗工程並びにすすぎ工程では、最初のすすぎ工程において生成された汚水は、そのまま下水等に排水処理され、かつ２回目以降のすすぎ工程で生成されたすすぎ水と、脱水工程Ｄにおいて生成された除去水は、浄化・除菌処理可能な処理槽を備えた貯水・処理槽に一旦貯水されて浄化、除菌され、その後は予洗工程及び本洗工程並びに最初のすすぎ工程を実行するために再利用されるようにしているので、除去水を再利用できる。
【００１６】
請求項３によれば、貸し出し禁止とする目安となる基準値を、１００〜２００回としているので、オムツの耐洗度の限界が到来すれば、そのオムツを貸し出し禁止として的確に処分できる。
【発明を実施するための最良の形態】
【００１９】
以下に、本発明の実施の形態について説明する。なお、ここでは、アラーム手段として通信端末装置３を例示しているが、これには限られず、コードリーダ２から送られてきた識別コード１０より識別情報を判定し、その判定結果によって警報を報知できるものであればよい。
【実施例１】
【００２０】
図１は、本発明の貸出用オムツの洗濯管理システムの概略構成の一例を示す図である。
【００２１】
この洗濯管理システムＳは、貸し出したオムツ１を使用後に回収し、洗濯した後に、再度貸し出す貸出用オムツの洗濯管理システムであって、少なくとも固有の識別情報を含んだ識別コード１０が付されたオムツ１と、このオムツ１を洗濯した後、上記識別コード１０を読取るコードリーダ２と、このコードリーダ２から識別情報を読取る毎に、そのオムツ１の洗濯回数を計数して、計数値が、予め固有の識別情報毎に設定した基準値に到達すれば、識別情報を読み取ったオムツ１の再貸し出しを禁止する制御手段の制御によって、警報を報知するアラーム手段を備えた通信端末装置３を組み合わせている。
【００２２】
また、通信端末装置３の制御によって駆動され、回収した使用済みの貸出用オムツ１を洗濯するためのオムツ洗濯処理手段７を更に備えている。
【００２３】
この洗濯管理システムＳは、使用者から回収した使用済みの貸出用オムツ１を所定の工程で洗濯し、洗濯したオムツ１の洗濯回数が所定の基準値に到達していなければ、当該オムツ１を再貸し出し対象とする一方、所定の基準値に到達していれば、当該オムツ１の再貸し出しを禁止する基本動作をなす。
【００２４】
オムツ１に付される識別コード１０は、２次元コード、バーコードなどで構成されており、固有の識別情報として、オムツ１の番号、利用施設名、利用者名、性別、年齢などの個人情報を含み、オムツ１に縫着され、あるいは熱圧着されたラベル１１に印刷されている。
【００２５】
識別コード１０の印刷に使用するインク、ラベル１１は耐洗力に優れたものが望ましく、薄地のものが望ましい。
【００２６】
コードリーダ２は、識別コード１０を画像データとして読み取って通信端末装置３に送出し、通信端末装置３では、予め準備された後述する基準テーブル３３Ａを参照して、読み取った識別情報に基づいて、オムツ１の洗濯回数が基準値に到達しているか否かを判定する。
【００２７】
サーバ４は、インターネット、ＷＡＮなどの通信回線Ｌを通じて、通信端末装置３や外部のサーバと接続されており、本発明の管理システムのために予め準備生成された、顧客マスタデータ、基準テーブルなどのデータを送受する。
【００２８】
なお、コードリーダ２と通信端末装置３とは一体的に構成されてもよく、コードリーダ２で読み取った識別情報は、サーバ４側で洗濯回数が基準値と比較され、その結果に基づいてコードリーダ２や通信端末装置３からアラームを出力させる構成にしてもよい。
【００２９】
また、７は、オムツ１を洗濯するオムツ洗濯処理手段を示している。
【００３０】
図２は、図１に示すオムツ洗濯処理手段７によるオムツ１の洗濯処理手順の一例を説明するための図である。なお、オムツ１の洗濯処理はここでは、図１に示す通信端末装置３の制御により行われるようにしているが、人手により行うようにしてもよい。
【００３１】
オムツ１の洗濯処理手順は、予洗工程Ａ、本洗工程Ｂ、すすぎ工程Ｃ、脱水工程Ｄの順に実行され、予洗工程Ａ及び本洗工程Ｂ並びに最初のすすぎ工程Ｃ１において生成された汚水は、そのまま下水等に排水処理され、２回目以降のすすぎ工程Ｃ２，Ｃ３，Ｃ４において生成されたすすぎ水及び脱水工程Ｄにおいて生成された除去水は、浄化・除菌処理可能な処理槽を備えた貯水・処理槽Ｅに一旦貯水されると共に、この浄化・除菌された後の浄化水を、ポンプＦを介して予洗工程Ａ及び本洗工程Ｂ並びに最初のすすぎ工程Ｃ１に給水して再利用するようにしている。
【００３２】
なお、本洗工程Ｂ及び少なくとも最初のすすぎ工程Ｃ１では、貯水・処理槽Ｅからの浄化水の他、給水ポンプＨを通じて、塩素系滅菌液Ｇを別途給水するようにしており、本洗工程Ｂ及び最初のすすぎ工程Ｃ１で使用される塩素系滅菌液の濃度を高めることができる。
【００３３】
更に、本洗工程Ｂ及び少なくとも１回目のすすぎ工程Ｃ１及び２回目のすすぎ工程Ｃ２に給水される浄化水及び上水を加温することも可能にしている。
【００３４】
ここでの加温手段としては、本洗工程Ｂ、１回目のすすぎ工程Ｃ１及び２回目のすすぎ工程Ｃ２のときに給水された前記浄化水及び上水に、高温のスチームＩを噴出させて加温するようにしている。
【００３５】
図３は、通信端末装置３の要部構成の一例を示す図である。
【００３６】
この通信端末装置３は、サーバ４、コードリーダ２、オムツ洗濯処理手段７を制御するためのＣＰＵ３０、警報を報知するためのアラーム３１、サーバ４、コードリーダ２、オムツ洗濯処理手段７を接続するためのインタフェース３２、この通信端末装置３が動作するのに必要な各種データを記憶したＲＡＭ３３やＲＯＭ３４を備えている。
【００３７】
ＲＯＭ３４には少なくとも、コードリーダ２から識別コードを読み取った後に、ＣＰＵ３０が後述の図４に示す基準テーブル３３Ａを参照して、そのオムツ１に対応して、予め設定された使用限度を示す基準値と比較し、基準値に到達していればアラーム３１を報知するためのプログラムや、前述の図１に示すオムツ洗濯処理手段７が動作するのに必要なプログラムを記憶している。
【００３８】
図４は、基準テーブル３３Ａの構成の一例を示す図である。
【００３９】
基準テーブル３３Ａは、オムツ１の固有の識別情報（ここではオムツ１の番号１〜Ｘ）に、それぞれの実洗濯回数と、それぞれの基準値となる洗濯回数とを対応させて記憶保存している。実洗濯回数は、オムツ１の識別コード１０を読み取ってオムツ１を特定する毎に、１インクリメントされて記憶保存される。
【００４０】
基準値となる洗濯回数は、１００〜２００回として設定されていることが考えられ、望ましくは１５０回程度に設定するのがよい。
【００４１】
図５は、識別コード１０を付したラベル１１の構成の一例を示す図である。
【００４２】
このラベル１１には、識別コード１０の他、オムツ１の使用者を特定する文字、絵、シンボルなど人が判読可能な固有情報が付されている。
【００４３】
図５では、固有情報として、利用者名１２、利用者の介護施設名１３、利用者の性別１４、貸しオムツの業者のサービスマーク１５、品番１６、サイズ１７が付されている。このような固有情報によって、使用者が自分の専用品として認識できるので、使用者の満足感を充たし、衛生上も安心感を与えることができる。
【００４４】
図６は、本発明の貸出用オムツの洗濯管理システムの基本動作の一例を示すフローチャート（１００〜１０４）である。
【００４５】
通信端末装置３は、前述した洗濯工程によって、使用者から回収したオムツ１を洗濯した後、オムツ１に付されている識別コード１０をコードリーダ２で読み取ったときには、通信端末装置３は、読み取られた識別コード１０の識別情報を抽出し、オムツ１を判別して、そのオムツ１の実洗濯回数をインクリメントする。
【００４６】
ＣＰＵ３０は、インクリメントされた実洗濯回数を計数し、それが基準値に到達しているときにはアラーム３１を報知させる一方、基準値に到達していないときには再貸し出し対象としてアラーム３１を報知させずに、次の読み取りに備える。
【００４７】
なお、オムツ１の実洗濯回数は基準テーブル３３Ａに登録保存されるようにしているが、書き込み手段を別途備えて実洗濯回数を識別コード１０に書き込みできるようにしてもよい。
【００４８】
通信端末装置３は、アラーム３１を報知させたときには、そのオムツ１の再貸し出しを禁止するが、そのため後述するように、貸し出し禁止マーキング１８を、オムツ１や識別コード１０を記したラベル１１に記したり、ベルトコンベア６上から排除する。
【００４９】
図７は、本発明の貸出用オムツ洗濯管理システムの概略構成の他例を示す図である。
【００５０】
この貸出用オムツ洗濯管理システムＳ１では、回収され、洗濯されたオムツ１はベルトコンベア６によって、再貸し出しに送り出されており、ベルトコンベア６の搬送路には、コードリーダ２、マーキング手段５とを設け、これらは通信端末装置３に接続されている。
【００５１】
ベルトコンベア６には、洗濯後のオムツ１が並べられて順次、コードリーダ２とマーキング手段５を通過するようにしており、通信端末装置３は、洗濯後、ベルトコンベア６に載せられているオムツ１の識別コード１０をコードリーダ２により読み取って実洗濯回数を判定し、基準値に到達していればマーキング手段５により貸し出し禁止マーキング１８をそのオムツ１に付しているが、ベルトコンベア６に、基準値に到達したオムツ１を選択してベルトコンベア６より排除する排除手段を設けてもよい。
【００５２】
なお、基準値に到達していないオムツ１については再貸し出し対象とするので、貸し出し禁止マーキング１８を付したりベルトコンベア６から排除したりはしない。
【００５３】
図８は、貸し出し禁止マーキング１８が記されたラベル１１の構成の一例を示す図であり、この貸し出し禁止マーキング１８を目視して、貸し出し禁止であることを認識できる。
【図面の簡単な説明】
【００５４】
【図１】本発明の貸出用オムツ洗濯管理システムの概略基本構成の一例を示す図
【図２】オムツ洗濯処理手順の一例を示す図
【図３】通信端末装置の要部構成の一例を示す図
【図４】基準テーブルの構成の一例を示す図
【図５】識別コードが付されたラベルの構成の一例を示す図
【図６】本発明の貸出用オムツ洗濯管理システムの基本動作の一例を示すフローチャート
【図７】本発明の貸出用オムツ洗濯管理システムの概略基本構成の他例を示す図
【図８】貸し出し禁止マーキングが記されたラベルの構成の一例を示す図
【符号の説明】
【００５５】
Ｓ、Ｓ１  貸出用オムツの洗濯管理システム
１  オムツ
２  コードリーダ
３  通信端末装置
５  マーキング手段
１０  識別コード
１２〜１７  固有情報
１８  貸し出し禁止マーキング
３１  アラーム
【図１】
0004809079.tif 000002
【図２】
0004809079.tif 000003
【図３】
0004809079.tif 000004
【図４】
0004809079.tif 000005
【図５】
0004809079.tif 000006
【図６】
0004809079.tif 000007
【図７】
0004809079.tif 000008
【図８】
0004809079.tif 000009